(57)【特許請求の範囲】
【請求項１】
取引の開始及び終了を判断する判断部と、
装置内の温度を検出する温度センサと、
装置に設けられた吸気口及び排気口を結ぶ空気通路に配置され、装置を冷却するファンと、
前記温度センサが検出する装置内の温度に応じて、前記ファンの回転数を制御する制御部と、
を備え、
前記制御部は、前記判断部により取引の開始と判断されると、前記ファンの回転数を抑制する制御をし、該判断部により該取引の終了と判断されると、前記ファンの回転数を抑制する制御を解除する
ことを特徴とする紙葉類取扱装置。
【請求項２】
紙葉類を出し入れするための入出金部と、
を更に備え、
前記制御部によるファンの回転数の抑制制御は、ファンの回転数を前記紙葉類が前記入出金部の内部に張り付かない所定の回転数とするか、あるいは、ファンの回転を停止させることにより実現される
ことを特徴とする請求項１に記載の紙葉類取扱装置。
【請求項３】
前記ファンの回転数の抑制を開始してからの経過時間を計測し、該経過時間が所定の制限時間に到達したか否かを判断するタイマ部と、
を更に備え、
前記制御部は、前記タイマ部において前記経過時間が所定の制限時間に到達したと判断された場合には、前記ファンの回転数を抑制する制御を解除する
ことを特徴とする請求項１または２のいずれか１項に記載の紙葉類取扱装置。
【請求項４】
前記制限時間は、前記ファンの回転数を抑制した場合に装置の温度が該装置の最大定格温度に至るまでに要する期間以下の時間が設定される
ことを特徴とする請求項３記載の紙葉類取扱装置。
【請求項５】
前記制御部は、
前記判断部により取引の終了と判断されて前記ファンの回転数を抑制する制御を解除した後に、装置内の温度が、前記ファンを用いて装置を冷却した場合に該装置が到達する最大温度を超えているか否かを判定し、
装置内の温度が該最大温度を超えている間は、取引処理を待機させる
ことを特徴とする請求項１から４のいずれか１項に記載の紙葉類取扱装置。
【発明の詳細な説明】
【技術分野】
【０００１】
本発明は、紙葉類を取り扱う紙葉類取扱装置の装置内部を冷却する技術に関する。
【背景技術】
【０００２】
金融機関等で使用されている現金自動預金支払機（以降はＡＴＭと略記）は、装置内部の部品等からの発熱がある。これに対して何ら処置を施さず、放置した場合には、装置内部の温度が上昇し、装置内部の部品が正しく動作しなくなったり、部品の寿命が短くなったりする等の問題が発生する。このような問題が発生しないよう、装置の冷却が必要となる。
【０００３】
ＡＴＭでは、ファンを内蔵し、強制空冷式にて装置を冷却することが一般的に行われている。この方式では、図７に示す例では底面に設けたファン４０を回転させることによって、ＡＴＭ１００の装置内部に溜まった暖かい空気を排気し、代わりに冷たい外気を吸入することで、装置内部が冷却される仕組みとなっている。
【０００４】
このような仕組みを利用して機内の熱気（空気）を機外に放出するには、その排気量に相当する空気を機外から取り入れる必要がある。図７に示すように、一般的には、ＡＴＭ１００に空気を取り入れる開口部３０を設け、開口部３０から空気を取り入れている。
【０００５】
ＡＴＭの温度を制御する公知の技術としては、例えば、温度センサにより検知された温度を基に、変温パネルが適温になるよう制御を行う技術について提供されている（例えば、特許文献１）。
【０００６】
検知したＡＴＭの状態にしたがってＡＴＭの制御を行う公知の技術としては、例えば、対人センサにより装置の前に人がいるか否かを感知して、人が不在である場合には運用モードを切り替える技術について提供されている（例えば、特許文献２）。また、紙幣状態測定センサにより測定した紙幣の状態が取込不可状態のときは、紙幣を返却する技術についても提供されている（例えば、特許文献３）。
【先行技術文献】
【特許文献】
【０００７】
【特許文献１】特開平１０−４０４３９号公報
【特許文献２】特開昭６３−２６７９３号公報
【特許文献３】特開２００６−５３６１９号公報
【発明の概要】
【発明が解決しようとする課題】
【０００８】
ＡＴＭには、紙幣を入出金する紙幣処理ユニットや硬貨を入出金する硬貨処理ユニットがあり、紙幣処理ユニットや硬貨処理ユニットの出し入れ口には、シャッタ等を設けて、現金の入出金時以外はシャッタ等を閉め、現金の入出金時にはシャッタ等を開ける動作を行う。例えば紙幣の出金を例に挙げると、出金する紙幣の計数が完了するまでは、シャッタは閉じておき、紙幣の計数が完了すると、シャッタを開け、利用者に現金の受け取りを行わせる。
【０００９】
入出金口のシャッタを開けると、前述の空気取り入れのための開口部以外に、入出金口という新たな開口部ができることとなる。すなわち、図７に示すように、入出金口５０のシャッタを開けると、吸気口として設けられた開口部３０だけでなく、入出金口５０からも空気の取り込みが行われることとなる。
【００１０】
入出金口５０からもＡＴＭの装置内部方向への空気の流れが発生することにより、計数を終えた紙幣は、シャッタが開けられると、内部方向に吸引され、内部に張り付いてしまうことがある。複数枚の紙幣を出金する場合には、利用者が、重ねて出金口に置かれた複数枚の紙幣のうち、手前の方の紙幣だけを受け取り、空気とともに吸引されて奥の方に張り付いている紙幣については取り忘れてしまう等の問題が発生していた。
【００１１】
本発明は、装置の冷却のためにファンを備える紙葉類取扱装置において、紙幣等の紙葉類の出し入れを行うための開口部から紙葉類を放出するときに、紙葉類が開口部内に張り付くことを効果的に防止する技術を提供することを目的とする。
【課題を解決するための手段】
【００１２】
開示の紙葉類取扱装置によれば、取引の開始及び終了を判断する判断部と、装置内の温度を検出する温度センサと、装置に設けられた吸気口及び排気口を結ぶ空気通路に配置され、装置を冷却するファンと、前記温度センサが検出する装置内の温度に応じて、前記ファンの回転数を制御する制御部と、を備え、前記制御部は、前記判断部により取引の開始と判断されると、前記ファンの回転数を抑制する制御をし、該判断部により該取引の終了と判断されると、前記ファンの回転数を抑制する制御を解除する構成とする。
【発明の効果】
【００１３】
本発明によれば、装置の冷却のためにファンを備える紙葉類取扱装置において、紙葉類の出し入れを行うための開口部から紙葉類を放出するときに、紙葉類が開口部内に張り付くことを効果的に防止することが可能となる。
【図面の簡単な説明】
【００１４】
【図１】ＡＴＭの外観図である。
【図２】実施形態に係るＡＴＭのブロック図である。
【図３】実施形態に係るＡＴＭによるファンの回転数の制御方法を説明する図である。
【図４】ファンを低速で回転させる場合の制御方法を説明する図である。
【図５】ＡＴＭの主制御部によるＡＴＭ取引処理を示したフローチャートである。
【図６】ファン回転制御部によるファンの回転制御処理を示したフローチャートである。
【図７】従来技術の問題点を説明する図である。
【発明を実施するための形態】
【００１５】
以下、本発明の実施の形態について、図面を参照して詳しく説明する。以下の説明においては、紙葉類取扱装置の一例であるＡＴＭについて説明することとする。
図１は、ＡＴＭの外観図である。図１においては、ＡＴＭの外部に現れている構成のうち、本発明に係わる構成に符号を付している。
【００１６】
図１においては不図示のファン１４がＡＴＭ１の底面部に設けられており、ファン１４が、ＡＴＭ１内の空気を外部に排出させる。ＡＴＭ１の側面に開口部３０が設けられ、ファン１４の排気量に相当する機外の空気が、開口部３０を介してＡＴＭ１内に取り込まれる。
【００１７】
ＡＴＭ１の手前には、紙幣を出し入れするための入出金口５０にシャッタ７０が設けられている。入出金等の取引時には、シャッタ７０を開けて、紙幣等の紙葉類を出し入れさせる。
【００１８】
図２は、本実施形態に係るＡＴＭのブロック図である。図２に示すＡＴＭ１は、主制御部２、メモリ３、ハードディスク４、ホスト通信制御部５、画面表示制御部６、キー入力制御部７、表示装置８、入力装置９、入出力制御部（図２では、ＩＯ制御部）１０、ファン回転制御部１１、温度センサ制御部１２、対人センサ制御部１３、ファン１４、回転検知センサ１５、対人センサ１６、温度センサ１７、タイマ部１８、紙幣処理ユニット２１、硬貨処理ユニット２２、通帳処理ユニット２３及びカード／レシート処理ユニット２４を有する。
【００１９】
主制御部２は、図２に示すＡＴＭ１全体を制御する。主制御部２による制御には、入金や出金等の取引処理の制御のほか、後述するように、各種のセンサ等からの情報に基づき判断を行って、ファン１４等を制御するよう、対応する制御部に指示することも含む。
【００２０】
メモリ３やハードディスク４は、ＡＴＭ１の内部制御を含む各種の処理に必要なデータやプログラム等を格納する。ホスト通信制御部５は、ＡＴＭ１を含む金融取引システムのホストコンピュータ等、他の装置との通信を制御する。
【００２１】
画面表示制御部６及びキー入力制御部７は、それぞれＬＣＤ（Liquid Crystal Display）等の表示装置８及びタッチパネル等の入力装置９を制御して、ＡＴＭ１の利用者への各種情報の表示や利用者からの情報の入力を制御する。
【００２２】
入出力制御部（ＩＯ制御部）１０は、メカユニット、ＡＴＭ１の各種状態を検出するためのセンサ、ＡＴＭ１を冷却するファン１４等の入出力を制御する。メカユニットとしては、図２に示す構成例では、紙幣処理ユニット２１、硬貨処理ユニット２２、通帳処理ユニット２３及びカード／レシート処理ユニット２４等を備える。センサとしては、実施例では、温度センサ１７及び対人センサ１６を備える。
【００２３】
メカユニットの紙幣処理ユニット２１は、入出金機を有し、紙幣を処理する。先に図１の説明において記載したとおり、外側にはシャッタ７０が設けられている。入出金時にはシャッタ７０が開き、利用者は、入出金部である入出金口５０から紙幣を出し入れする。
【００２４】
硬貨処理ユニット２２、通帳処理ユニット２３及びカード／レシート処理ユニット２４は、それぞれ硬貨、通帳及びキャッシュカード・レシートの処理を行う。
対人センサ１６は、ＡＴＭ１の利用者の有無を検知するために設けられる。対人センサ制御部１３は、対人センサ１６の制御を行い、また、対人センサ１６から通知される利用者の有無に関する情報等を主制御部２に通知する等の処理を行う。実施例では、対人センサ１６によりＡＴＭ１の利用者を検知したことをもって、主制御部２は、ＡＴＭ１の取引開始と判断する。
【００２５】
温度センサ１７は、ＡＴＭ１内の温度を検知するために設けられる。温度センサ制御部１２は、温度センサ１７の制御を行い、また、温度センサ１７から通知されるＡＴＭ１内の温度に関する情報等を主制御部２に通知する等の処理を行う。
【００２６】
ファン１４は、ＡＴＭ１に設けられた吸気口（開口部３０）及び排気口を結ぶ空気通路に配置され、ＡＴＭ１を冷却するために設けられる。本実施形態に係るＡＴＭ１では、ファン１４は、ＡＴＭ１の底面部分に設けられている。回転検知センサ１５は、ファン１４の回転数を検知する。ファン回転制御部１１は、回転検知センサ１４から通知される情報にしたがってファン１４の状態を認識し、ファン１４の回転数を制御する。
【００２７】
タイマ部１８は、タイマを備え、タイマは、ファン回転制御部１１の制御によりファン１４の回転数が抑制されている時間を計測する。タイマ部１８は、タイマで計測している時間が所定の制限時間に到達したか否かを判断し、計測時間が制限時間に到達した場合には、ファン回転制御部１１に通知を行う。ファン回転制御部１１は、タイマ部１８から通知を受けると、ファン１４の回転数の抑制を解除させる。
【００２８】
このように、図２に示すＡＴＭ１によれば、対人センサ１６によりＡＴＭ１の利用者が検知されたことにより、取引開始と判断すると、ファン回転制御部１１は、ファン１４の回転数を抑制するよう制御する。取引終了と判断すると、回転数の抑制を解除して、ＡＴＭ１内の温度に基づく回転数制御処理に復帰する。ＡＴＭ１内の温度に基づく回転数制御処理の詳細については、図３を参照して詳しく説明する。
【００２９】
ファン１４の回転数を上記のとおりに制御することで、取引時に紙幣処理ユニット２１等に設けられているシャッタ７０が開いても、通常の回転数でファン１４を回転させていた場合と比べて、紙幣処理ユニット２１の開口部からＡＴＭ１内に吸入される空気の流れを弱めることができる。これにより、出金時等に紙幣の一部等が入出金口等の内部に張り付いてしまい、利用者がこれを取り忘れてしまう事態を効果的に防止する。
【００３０】
ファン１４の回転数の制御方法としては、抑制処理を行わないときには、温度センサ１７により検知されたＡＴＭ１内の温度に基づきファン１４の回転数を決定し、決定した回転数に制御を行っており、取引開始と判断すると、ファン１４の回転数を最小に抑制する。ファン１４の回転数を抑制する方法を説明する前に、まず、図３を参照して、ＡＴＭ１内の温度に基づきファンの回転数を制御する方法について説明する。
【００３１】
図３は、本実施形態に係るＡＴＭ１によるファン１４の回転数の制御方法を説明する図である。このうち、図３（ａ）は、ＡＴＭ１の内部温度とファン１４に印加する電圧との関係を説明する図であり、図３（ｂ）は、ＡＴＭ１の内部温度とファン１４の回転数との関係を説明する図であり、図３（ｃ）は、ファン１４の回転数制御による紙幣の張り付きの防止効果を検証した結果を示す図である。
【００３２】
ファン１４の回転を制御する方法としては、ＰＷＭ（Pulse Width Modulation）制御を利用する等の各種の方法があるが、実施例では、ファン１４に与える電圧を変化させることにより、所望の回転数でファン１４を回転させるよう制御を行っている。
【００３３】
図３（ａ）に示すような、温度センサ値とファン１４に印加するファン電圧との対応関係を示すテーブルを予め設定しておく。図３（ａ）に示すとおり、温度センサ値（に対応するＡＴＭ１の内部の温度）に応じて、ファン電圧を変化させている。ファン電圧が変化して上昇すると、これに応じて、ファン１４の回転数も変化し、回転数が増加する。
【００３４】
図３（ａ）及び図３（ｂ）に示すように、温度センサ値すなわちこれと対応するＡＴＭ１内の温度が所定の温度Ｔ１以下の場合には、ファン電圧を最低電圧となるよう制御する。実施例では、図３（ａ）のとおり、温度センサ値が「１２以下」、ＡＴＭ１内の温度では「３０℃以下」である場合には、ファン電圧を最低電圧である「７Ｖ」としている。
【００３５】
ＡＴＭ１内の温度がＴ１を超える（実施例では３０℃超、温度センサ値では１２超になる）場合には、ＡＴＭ１内の温度に応じて段階的にファン電圧を上げていく。ＡＴＭ１内の温度が所定の温度Ｔ２以上になると、ファン電圧が最高電圧となるよう制御する。実施例では、「４０℃以上」（温度センサ値は「２２以上」）になると、ファン電圧は、最大の「１２Ｖ」となるよう制御している。
【００３６】
以下においては、ファン電圧が最小及び最大となるときのファン１４の回転数を、それぞれ「最小回転数」及び「最大回転数」とする。例えば、最大回転数は、ファン１４の仕様から決定することができる。最小回転数は、ＡＴＭ１の具体的な使用態様や仕様等に応じて適宜決定する所定値である。例えば、実験的に求めた、紙幣等が入出金口５０の内部に張り付かない範囲の最大の回転数となる電圧値である。実施例では、図３（ｂ）及び図３（ｃ）のとおり、最小回転数は、最大回転数の凡そ４分の１となるように設定している。最小回転数をこのように設定し、取引時にはファン１４を最小回転数で回転させることで、ファン１４から排出される空気の量が相対的に少なくなる。これに伴い、紙幣処理ユニット２１等の入出金口５０に設けられたシャッタ７０が開くとき、入出金口５０から流入する空気の量が抑えられる。これにより、紙幣等が入出金口５０の内部に張り付くことを効果的に防止する。
【００３７】
図４は、ファン１４を低速で回転させる場合の制御方法を説明する図である。ＡＴＭ１内の温度に応じて回転数を制御する場合と比較すると、ファン１４の回転数を最小回転数に抑えた場合には、通常はＡＴＭ１内に取り込まれる空気量が減少する。これにより、ＡＴＭ１の冷却効率が低下し、ＡＴＭ１内の温度が上昇し始める。
【００３８】
本実施形態に係るＡＴＭ１では、上記ファン１４の回転数を抑制する処理を実行する場合には、回転数を抑えることによりＡＴＭ１内の温度が上昇したとしても、これによってＡＴＭ１内の装置や部品が故障することのないよう、回転数を抑制する時間に制限を設けている。
【００３９】
ファン１４の回転数を抑制する限界時間を表す「制限時間」については、実施例では、ＡＴＭ１の通電時間とＡＴＭ１内の温度との関係から設定している。図４に示すグラフは、ＡＴＭ１の通電時間と装置内の温度との関係を示す。ファン１４を用いない場合のＡＴＭ１内の温度変化は、図４中の２つの曲線のうち、曲線Ｃ１で表される。これに対して、ファン１４を最大回転数で回転させてＡＴＭ１の冷却を行った場合の温度変化は、曲線Ｃ２で表され、曲線Ｃ１よりも温度変化が緩やかである。
【００４０】
以降の説明においては、図４の中の「最大定格温度」とは、その温度を超えるとＡＴＭ１内部の部品等が熱により壊れてしまう、限界の装置内温度をいう。「最大温度」とは、ファン１４を用いて冷却しながらＡＴＭ１を稼動させた場合に、最終的に到達する装置内温度をいう。
【００４１】
ＡＴＭ１の装置内温度が、曲線Ｃ２に沿って上昇し、最大温度に到達しているときに、ファン１４の回転を停止させた場合を考える。ファン１４の回転停止後は、装置内温度は、点Ｐを起点として、曲線Ｃ１に沿って変化していくと見込まれる。これによれば、曲線Ｃ１上の、最大温度から最大定格温度に至るまでに要する時間Ｔ以下の期間内であれば、ファン１４を停止させたとしても、装置内温度が最大定格温度に達することはない。
【００４２】
上記のとおり、実施例では、ファン１４の回転数の抑制処理においては、ファン１４を最小回転数で回転させており、停止させてはいない。最小回転数でファン１４を回転させた場合には、回転を停止させた場合と比べて温度の上昇率は下がると見込まれる。これより、「曲線Ｃ２から決定される、最大温度から最大定格温度に至るまでに要する時間」を上記制限時間Ｔに設定した場合には、当然にＡＴＭ１内の温度が最大定格温度に達することはない。
【００４３】
実施例では、最大定格温度は６０〜８０℃程度であり、最大温度として４５〜５０℃を想定している。これらの温度と曲線Ｃ１、Ｃ２とから、制限時間Ｔを「１０分」と決定している。
【００４４】
ここで、ＡＴＭ１での出金等の取引は１０分以内に処理が完了するのが通常である。このため、取引が終了する前に制限時間の１０分が経過してしまい、ファン１４の回転数の抑制処理が解除された状態で図１のシャッタ７０が開くこととなるような事態は、極めて稀と考えられる。したがって、実施例のように制限時間を設けたとしても、これが、直ちに入出金口の内部に紙幣が張り付く等の問題の発生につながるとは考えにくい。
【００４５】
図５は、本実施形態に係るＡＴＭ１の主制御部２によるＡＴＭ取引処理を示したフローチャートである。図中の（Ａ）〜（Ｃ）は、ファン回転制御部１１に送信する指示を表し、次に説明する図６の（Ａ）〜（Ｃ）と送受タイミングがそれぞれ対応している。図２の主制御部２は、ＡＴＭ１の電源がオンに切り替えられると、図５に示す処理を開始する。
【００４６】
まず、ステップＳ１で、ファン回転制御部１１に対して、ファン１４の回転制御を開始するよう指示（Ａ）を送信し、ファン１４の回転制御処理を起動させる。ステップＳ２では、ＡＴＭ１の起動処理を実行し、各メカユニット等の初期化等を行う。ＡＴＭ１が起動すると、ステップＳ３に進む。
【００４７】
ステップＳ３で、ＡＴＭ１内の装置各部の状態確認を行う。具体的には、メカユニットは初期状態にあるか否か、ＡＴＭ１内の温度が、ＡＴＭ１を稼動可能な温度か否か等を確認する。ＡＴＭ１内の温度を例にとると、温度センサ１７から読み取った温度が図４の最大温度以下である場合に、ＡＴＭ１を稼動可能な温度と判断する。
【００４８】
ステップＳ４で、ＡＴＭ１は稼動が可能な状態にあるか否かを判定する。ステップＳ４の判定は、ステップＳ３において確認した装置各部の状態に基づき行う。
ステップＳ４において、ＡＴＭ１の各部には異常がなく、稼動が可能な状態であると判定した場合には、ステップＳ５に進む。異常が検出され、ＡＴＭ１は稼動できない状態であると判定した場合には、ステップＳ３に戻り、以降はステップＳ３〜ステップＳ４の処理を繰り返し、正常状態に回復するまで、待ちの状態となる。
【００４９】
ステップＳ５においては、ＡＴＭ１の利用者待ちの処理を行う。具体的には、対人センサ１６によりＡＴＭ１の利用者を検知したか否かを判定し、利用者を検知すると、ステップＳ６に進む。
【００５０】
ステップＳ６においては、ファン回転制御部１１に対して、ファン低速制御指示（Ｂ）を送信する。ファン低速制御指示には、ファン回転制御部１１に対して、ＡＴＭ１内の温度に係わらず、ファン１４の回転数を抑制する旨の指示を含む。上記のとおり、実施例では、最小回転数でファン１４を回転させる旨の指示を含む。
【００５１】
ステップＳ７で、通常のＡＴＭ１の取引処理を実行する。取引処理には、入金や出金、振込等の金融取引処理のためのホストコンピュータとの電文の送受や、入力装置９からの情報の受付、表示装置８への情報の出力等の処理が含まれる。
【００５２】
ステップＳ８で、ステップＳ７の取引処理が終了したことを認識すると、ステップＳ９に進み、ファン回転制御部１１に対して、ファン低速制御解除指示（Ｃ）を送信する。ファン低速制御解除指示には、ファン回転制御部１１に対して、ファン１４の回転数を抑制する処理を終了し、通常の回転数制御、すなわち、温度センサ１７から読み取ったＡＴＭ１内の温度に基づき回転数を制御する処理を再開する旨の指示を含む。
【００５３】
ファン低速制御解除指示を送信すると、ステップＳ３に戻る。以降は同様に、まず、ステップＳ３及びステップＳ４において、ファン低速制御中にＡＴＭ１の温度が上昇して上記最大温度を超えていないこと等の確認をする。ＡＴＭ１内の温度等に異常がないことを確認した上で、ステップＳ５以降の処理を実行する。
【００５４】
上記のとおり、ファン１４の回転数を抑制する制御を行った後は、ＡＴＭ１内の温度が通常よりも上昇していることが推測される。このため、ある取引処理が終了し、次の取引処理が開始される前に、ステップＳ３及びステップＳ４の処理を実行しておき、事前にＡＴＭ１が稼動可能な状態にあることを確認しておく。ある取引処理においてファン１４の回転数を制御させていたために、ＡＴＭ１内が高温になった場合には、これによって次の取引中に問題が発生しないよう、ＡＴＭ１内の温度が最大温度以下になるまで取引処理を待機させておく。
【００５５】
図６は、ファン回転制御部１１によるファン１４の回転制御処理を示したフローチャートである。図６中の（Ａ）〜（Ｃ）は、主制御部２から受信する指示を表し、図５の（Ａ）〜（Ｃ）と送受タイミングがそれぞれ対応している。図２のファン回転制御部１１は、主制御部２からファン１４の回転制御を開始する旨の指示（Ａ）を受信すると、図６に示す処理を開始する。
【００５６】
まず、ステップＳ１１で、温度センサ１７の値を読み取ると、ステップＳ１２で、読み取った値（に対応するＡＴＭ１内の温度）に応じて、ファン１４の回転数を制御する。ファン１４の回転数の制御は、ファン１４への供給電圧を変更することにより行う。以降は、主制御部２から回転数を抑制する旨の指示を受信するまで、ステップＳ１１〜ステップＳ１３の処理を繰り返す。主制御部２からファン低速制御指示（Ｂ）を受信すると、ステップＳ１３からステップＳ１４に進む。
【００５７】
ステップＳ１４で、ファン１４に供給する電圧を最低電圧に変更することにより、ファン１４の回転数を最小回転数にし、ステップＳ１５で、タイマ部１８の監視タイマを開始する。
【００５８】
ステップＳ１６で、主制御部２からのファン低速制御解除指示（Ｃ）を受信したか否かを判定する。ファン低速制御解除指示を受信していない場合には、ステップＳ１７に進み、監視タイマが回転数の抑制処理を行う制限時間である１０分を経過したか否かを判定する。まだ１０分が経過しておらず、図２のタイマ部１８から通知を受信していない場合には、ステップＳ１６に戻る。
【００５９】
ステップＳ１６において、ファン低速制御解除指示を受信している場合には、ステップＳ１８に進み、ファン１４の回転数の抑制処理を停止して、通常の方法によるファン１４の回転数の制御を再開する。以降はステップＳ１１に戻り、同様の処理を繰り返す。
【００６０】
以上説明したように、本実施形態に係るＡＴＭ１によれば、通常は、ＡＴＭ１を冷却するためのファン１４の回転数を、温度センサ１７により読み取ったＡＴＭ１内の温度に応じた回転数に制御する。対人センサにより利用者を検知すると、取引開始と判断して、ファン１４の回転数を抑制する制御を行い、最小回転数とする。これにより、取引において出金等のためＡＴＭ１のシャッタ７０が開く場合であっても、シャッタ７０からＡＴＭ１内に流入する空気の流れが通常時と比べて弱くなる。これにより、シャッタ７０が開いてできた開口部の奥の方に紙幣が張り付くことを防ぎ、利用者の紙幣の取り忘れ等の問題を効果的に防止する。
【００６１】
更には、取引においてシャッタ７０が開いたときに、空気と一緒に埃が吸引されてＡＴＭ１内に埃が堆積することがある。例えばシャッタ７０近傍には各種のセンサが設けられているので、センサの設けられている部分に埃が堆積することにより、紙幣の誤検出等の問題が生じうる。本実施形態に係るＡＴＭ１によれば、ファン１４の回転数が抑制されていることにより、ＡＴＭ１内に流入する空気の流れが弱められ、埃もＡＴＭ１内に吸引されにくくなることから、このような埃の吸入により生じうる問題についても、効果的に防止することが可能となる。
【００６２】
なお、上記の実施形態においては、取引時にはファン１４の回転数を最小回転数とする制御を行っているが、これには限らない。例えば、取引時にはファン１４の回転を停止させる構成としてもよい。このような構成としても、同様に、出金等のときにシャッタ７０からＡＴＭ１内への空気が流入し、開口部の奥の方に紙幣が張り付くことを防ぐことができ、これにより、利用者の紙幣の取り忘れ等の問題を効果的に防止する。
【００６３】
また、上記においては、取引の開始を判断する契機として、対人センサ１６により利用者を検知したことを例に挙げているが、これには限らない。例えば、利用者が図２の入力装置９を介して指定した取引等の情報を参照して、シャッタ７０を開閉する必要のある取引を判断して上記のファン１４の回転数を抑制する制御を行う構成としてもよい。あるいは、シャッタ７０の開くタイミングを判断する等により、ファン１４の回転数の制御を開始する構成としてもよい。
【符号の説明】
【００６４】
１      ＡＴＭ
２      主制御部
３      メモリ
４      ハードディスク
５      ホスト通信制御部
６      画面表示制御部
７      キー入力制御部
８      表示装置
９      入力装置
１０    入出力制御部（ＩＯ制御部）
１１    ファン回転制御部
１２    温度センサ制御部
１３    対人センサ制御部
１４    ファン
１５    回転検知センサ
１６    対人センサ
１７    温度センサ
２１    紙幣処理ユニット
２２    硬貨処理ユニット
２３    通帳処理ユニット
２４    カード／レシート処理ユニット
３０    開口部
５０    入出金口
７０    シャッタ
【図２】
0005421213.tif 000002
【図３】
0005421213.tif 000003
【図５】
0005421213.tif 000004
【図６】
0005421213.tif 000005
【図１】
0005421213.tif 000006
【図４】
0005421213.tif 000007
【図７】
0005421213.tif 000008